(57)【特許請求の範囲】
【請求項１】
筒状の継鉄部の内面から径方向内側に複数の磁極歯が突出する固定子鉄心と、前記磁極歯を含む前記固定子鉄心の軸方向端部に設けられ、外側端面に巻線収容溝が形成された絶縁部材と、前記絶縁部材を介して前記磁極歯に卷装され、端末が前記巻線収容溝に収容されてなる巻線とを備えた固定子において、
前記巻線の巻始め及び巻終わりにそれぞれ対応させて前記巻線収容溝の全てを前記固定子鉄心の軸心を中心とする同一円周上に分散配置すると共に、前記中心から径方向外側に向けて形成し、
前記巻線の巻始めの端末を収容する前記巻線収容溝が形成される部位の前記絶縁部材の内周面に、前記巻線収容溝の両側からそれぞれ径方向内側に突出し軸方向内側に伸長する突出部を設けたことを特徴とする固定子。
【請求項２】
同時巻線を行うノズル数で円周を等分した位置に、前記巻線の巻始めの端末を収容する前記巻線収容溝を形成すると共に、前記巻線の巻終わりの端末を収容する前記巻線収容溝を形成したことを特徴とする請求項１に記載の固定子。
【請求項３】
前記巻線の巻始めの端末を収容する前記巻線収容溝を、前記継鉄部から突出する前記磁極歯の基部の一方の角部の近傍に設けたことを特徴とする請求項１又は２に記載の固定子。
【請求項４】
前記巻線の巻終わりの端末を収容する前記巻線収容溝を、前記磁極歯に巻終わる巻線の周方向の一方の外径端の近傍に形成したことを特徴とする請求項１乃至３のいずれか１項に記載の固定子。
【請求項５】
前記巻線の巻始めの端末部は、前記巻線収容溝から径方向内側に引き込まれる部位が前記一対の突出部間に略直角に折り曲げられたことを特徴とする請求項１に記載の固定子。
【請求項６】
前記巻線収容溝の内側面に、前記巻線の端末を溝の底部に保持する弾力性の突起を設けたことを特徴とする請求項１乃至５６のいずれか１項に記載の固定子。
【発明の詳細な説明】
【０００１】
【発明の属する技術分野】
本発明は、回転子に永久磁石を用いる電動機の固定子に関する。
【０００２】
【従来の技術】
図２２に示すように、空気調和機等に搭載される圧縮機１に組み込まれる電動機１ａは、回転軸２に一体的に取付けられる回転子３と、この回転子３とは狭小な間隙をもってその周囲に配置される固定子４とで構成されている。図２３はこの固定子４の軸方向端面を示した平面図である。同図において、固定子鉄心５は筒状の継鉄部の内面を周方向に６等分した位置からそれぞれ径方向内側に突出する合計６個の磁極歯を備えている。これらの磁極歯を含む固定子鉄心５の軸方向端部に枠状の絶縁部材６が設けられている。この絶縁部材６の周方向の２箇所に、それぞれ３連の巻線端末受け部７ａ，７ｂ，７ｃ及び７ｄ，７ｅ，７ｆが形成されている。これらの巻線端末受け部７ａ〜７ｆは全て同一に形成され、例えば、巻線端末受け部７ａは、図２４（ａ），（ｂ），（ｃ）にその平面図及び断面図を示したように、径方向の巻線収容溝８と、この巻線収容溝８の途中に形成された端子装着孔９とを備えている。
【０００３】
一方、固定子鉄心の各磁極歯には絶縁部材６を介して巻線１０ａ〜１０ｆが卷装され、巻線１０ａの巻始めの端末が巻線端末受け部７ａの巻線収容溝８に収容され、巻線１０ｂの巻終わりの端末が巻線端末受け部７ｂの巻線収容溝８に収容され、巻線１０ｃの巻始めの端末が巻線端末受け部７ｃの巻線収容溝８に収容されている。同様に、巻線１０ｄの巻終わりの端末が巻線端末受け部７ｄの巻線収容溝８に収容され、巻線１０ｅの巻始めの端末が巻線端末受け部７ｅの巻線収容溝８に収容され、巻線１０ｆの巻終わりの端末が巻線端末受け部７ｆの巻線収容溝８に収容されている。
【０００４】
なお、巻線１０ａの巻終わりの端末は図示したとは反対側の端面にて巻線１０ｄの巻始めの端末に接続され、巻線１０ｅの巻終わりの端末は図示したとは反対側の端面にて巻線１０ｂの巻始めの端末に接続され、巻線１０ｃの巻終わりの端末は図示したとは反対側の端面にて巻線１０ｆの巻始めの端末に接続されている。ここで、端子装着孔９にはそれぞれ図示を省略したＵ字状の溝を有する圧接形の接続端子が装着され、これらの接続端子を介して、巻線１０ａ，１０ｅ及び１０ｃの各巻始めの端末が三相電源に接続する口出線に接続され、巻線１０ｂ，１０ｆ，１０ｄの各巻終わりの端末が中性点として共通接続される。
【０００５】
【発明が解決しようとする課題】
上述した従来の固定子４においては、巻線端末受け部７ａは巻線１０ａの巻始めの位置から略１／４周離れ、巻線端末受け部７ｆもまた巻線１０ｆの巻終わりの位置から略１／４周離れている。また、巻線端末受け部７ｃは巻線１０ｃの巻始めの位置から略１／８周離れ、巻線端末受け部７ｄもまた巻線１０ｄの巻終わりの位置から略１／８周離れている。このため、磁極歯に巻線を施すに当たり絶縁部材６の枠形の外周縁に沿って這わせる必要があり、これに応じて巻線機の構成が複雑になると同時に、線の引き回しに時間を要するという解決すべき課題があった。
【０００６】
また、巻線端末受け部７ｅのように、巻線収容溝８から絶縁部材６の内周面に引き込み、直近の磁極歯に巻線を施すとこの巻線の中間部又は終端部が絶縁部材６の内周面に引き込まれた巻線の始端部と接触し、絶縁不良を起こす虞れがあった。
【０００７】
さらに、巻線収容溝８の幅の等しい絶縁部材６に、線径の異なる導線を用いた場合、導線が納まらなかったり、脱落したりする虞れもあった。
【０００８】
本発明は上記の課題を解決するためになされたもので、その目的は巻線機の構成の簡易化を図ることが可能な固定子を提供するにある。
【０００９】
他の目的は、巻線の始端部と中間部又は終端部との確実な絶縁を図ることのできる固定子を提供するにある。
【００１０】
さらに、他の目的はある程度、線径の異なる導線でもその収容及び確実な保持を可能にする固定子を提供するにある。
【００１１】
【課題を解決するための手段】
請求項１に係る発明は、
筒状の継鉄部の内面から径方向内側に複数の磁極歯が突出する固定子鉄心と、前記磁極歯を含む前記固定子鉄心の軸方向端部に設けられ、外側端面に巻線収容溝が形成された絶縁部材と、前記絶縁部材を介して前記磁極歯に卷装され、端末が前記巻線収容溝に収容されてなる巻線とを備えた固定子において、
前記巻線の巻始め及び巻終わりにそれぞれ対応させて前記巻線収容溝の全てを前記固定子鉄心の軸心を中心とする同一円周上に分散配置すると共に、前記中心から径方向外側に向けて形成し、
前記巻線の巻始めの端末を収容する前記巻線収容溝が形成される部位の前記絶縁部材の内周面に、前記巻線収容溝の両側からそれぞれ径方向内側に突出し軸方向内側に伸長する突出部を設けた
ことを特徴とする。
【００１２】
請求項２に係る発明は、請求項１に記載の固定子において、同時巻線を行うノズル数で円周を等分した位置に、巻線の巻始めの端末を収容する巻線収容溝を形成すると共に、巻線の巻終わりの端末を収容する巻線収容溝を形成したことを特徴とする。
【００１３】
請求項３に係る発明は、請求項１又は２に記載の固定子において、巻線の巻始めの端末を収容する巻線収容溝を、継鉄部から突出する磁極歯の基部の一方の角部の近傍に設けたことを特徴とする。
【００１４】
請求項４に係る発明は、請求項１乃至３のいずれか１項に記載の固定子において、巻線の巻終わりの端末を収容する巻線収容溝を、磁極歯に巻終わる巻線の周方向の一方の外径端の近傍に形成したことを特徴とする。
【００１５】
請求項５に係る発明は、請求項１乃至４のいずれか１項に記載の固定子において、巻線の巻始めの端末部は、巻線収容溝から径方向内側に引き込まれる部位が一対の突出部間に略直角に折り曲げられたことを特徴とする。
【００１６】
請求項６に係る発明は、請求項１乃至５のいずれか１項に記載の固定子において、巻線収容溝の内側面に、巻線の端末を溝の底部に保持する弾力性の突起を設けたことを特徴とする。
【００１７】
【発明の実施の形態】
以下、本発明を図面に示す好適な実施形態に基づいて詳細に説明する。
図１は本発明に係る固定子の一実施形態の構成を示す軸方向端の平面図である。図中、従来装置を示す図２３と同一の符号を付したものはそれぞれ同一の要素を示している。ここで、固定子４Ａは固定子鉄心５の筒状の継鉄部の内面に６個の磁極歯が突出して形成され、この磁極歯を含む固定子鉄心５の軸方向端面に絶縁部材６が設けられている。これらの磁極歯にはそれぞれ巻線１０ａ〜１０ｆが巻装されている。そして、絶縁部材６には、巻線１０ａ〜１０ｆに対応してそれぞれの近傍に巻線端末受け部７ａ〜７ｆが設けられている。
【００１８】
これらの巻線端末受け部７ａ〜７ｆのうち、巻線端末受け部７ａ，７ｃ，７ｅは固定子鉄心５の中心からみて周方向を３等分した位置に設けられ、巻線端末受け部７ｂ，７ｄ，７ｆもまた固定子鉄心５の中心からみて周方向を３等分した位置に設けられている。これは図示を省略した巻線機が周方向を３等分した位置にそれぞれ巻線ノズルを有し、これらの巻線ノズルを駆動して、最初に巻線１０ａ，１０ｃ，１０ｅを巻装し、次に巻線ノズルを周方向に１８０度回転させて巻線１０ｄ，１０ｆ，１０ｂを巻装することを前提として、巻線端末受け部７ａ〜７ｆを配置したものである。また、巻線収容溝を全て中心から径方向外側に向けて形成することにより、各巻線の端末は放射状に収容されることになる。
【００１９】
図２は巻線１０ａ〜１０ｆの巻始め及び巻終わりに関連付けて、巻線端末受け部７ａ〜７ｆの詳細な配置を示した部分拡大平面図であり、特に、巻始めの端末を収容する巻線端末受け部７ｅと、巻終わりの端末を収容する巻線端末受け部７ｄとを示している。ここで、固定子鉄心５は、前述したように、筒状の継鉄部５ａの内側に磁極歯５ｂが突出して形成され、絶縁部材６の磁極歯５ｂにそれぞれ被せられる部分は破線で示した外形形状を有している。巻線１０ｅ，１０ｄは磁極歯５ｂに絶縁部材６を介して巻装されるが、このとき、周方向に重ねて巻かれるために巻始めの位置は磁極歯５ｂの基部と継鉄部５ａとの角部となり、巻終わりの位置は磁極歯５ｂから巻線の厚み分だけ周方向に離れた位置、すなわち、巻線の外径端となる。そこで、この実施形態は巻線の巻始めの端末を収容する巻線端末受け部７ｅを継鉄部５ａから突出する磁極歯５ｂの一方の角部の近傍に設け、巻終わりの端末を収容する巻線端末受け部７ｄを磁極歯５ｂに巻終わる巻線の周方向の一方の外径端の近傍に設けている。
【００２０】
このように、巻線１０ａ〜１０ｆの巻始め及び巻終わりにそれぞれ対応させて巻線端末受け部７ａ〜７ｆを固定子鉄心５の軸心を中心とする同一円周上に分散配置すると共に、巻線収容溝を中心から径方向外側に向けて形成することによって、複数のノズルを有する巻線機の構成を簡易化することができる。
【００２１】
図３はそれぞれ同一に形成される巻線の巻初めの端末に対応する巻線端末受け部７ａ，７ｃ，７ｅのうち、特に、巻線端末受け部７ａの詳細な構成を示したもので、（ａ）は巻線１０ａの端末を収容した平面図、（ｂ）は巻線１０ａの端末を除去して一点鎖線で示したＡ−Ａ矢視断面図である。この巻線端末受け部７ａは巻線収容溝８の径方向の途中に矩形の端子装着孔９が溝の両側に跨がって形成されている。巻線１０ａの端末１１ａはその末端が巻線端末受け部７ａの外周面から突出し、巻線収容溝８を通して巻線端末受け部７ａの内周側に引き込まれた部分は内周面に沿って軸方向内側に折り曲げられて巻装される。この内周面に沿って折り曲げられた部分の両側にはそれぞれ径方向内側に突出し、軸方向内側に伸長する突出部１２が設けられている。この突出部１２の高さは巻線１０ａの線径よりも高くなっていることが好ましいが、線径と同程度であっても、あるいは線径よりも僅かに低くとも絶縁性能を向上させることができる。
【００２２】
この絶縁性能の向上について、図４（ａ），（ｂ），（ｃ）を参照して説明する。すなわち、巻線１０ａの巻始めの端末１１ａは図４（ａ）に示すように巻線端末受け部７ａの巻線収容溝から内部に導入され、続いて、軸方向内側に向けて折り曲げられ、さらに、折り曲げ部位の側方に巻線１０ａが巻装される。この場合、巻線として被覆絶縁線が用いられるが、磁極歯に対する巻線１０ａの巻始めに近い部分や中間の部分、あるいは巻終わりに近い部分が、軸方向内側に折り曲げられた部分と接触し、場合によっては絶縁被覆が破れて短絡する虞れがある。
突出部１２は上述した巻線どうしの接触を回避したり、あるいは、電圧差が少ない巻線どおしの接触圧を低くしたりする機能を有する。図４（ｂ）は絶縁性能をより確実にするために、整形冶具１３を用いて巻始めの端末１１ａを巻線端末受け部７ａの内周面のより深い位置まで沿わせたもので、その結果、図４（ｃ）に示すように、突出部１２間に折り曲げられた巻始めの端末１１ａと巻線１０ａとを非接触とすることができ、絶縁性能を確実に向上させることができる。
【００２３】
ところで、上述した固定子に用いる絶縁部材６の巻線端末受け部７ａ〜７ｆは端子装着孔９に装着される端子の共通化を図るために、巻線収容溝８も同一の寸法に形成されたまま、線径を変えて巻線する場合がある。このとき、巻線収容溝８の幅を一定とすれば、当然のことながら線径の大きい導線は巻線収容溝８に納まらず、逆に線径の小さい導線は巻線収容溝８から飛び出す虞れがある。
【００２４】
図５はその対策として、線径の異なる導線でもその収納を可能にすると共に、線径の小さい導線でも確実に保持する巻線端末受け部の詳細な構成を示す平面図で、巻線収容溝８の側面に先端を鋭角に尖らせて実質的に弾力性を持たせた突起１４を設けたものである。ここで、図５（ａ）は端子装着孔９から見て径方向内側及び外側の両側面に突起１４を設け、この突起１４間に線径の大きい導線を稍強く押し込み、線径の小さい導線を比較的弱く押しこんで巻線を突起１４の一部に食い込ませ、これによって端末を巻線収容溝８の底部に保持することができる。
【００２５】
なお、図５（ｂ）は図５（ａ）に示したＢ部の変形例であり、巻線収容溝８の両側面に形成される一対の突起１４を溝の延伸方向にその位置を僅かに異ならせたものであり、これによって導線の曲がりを利用して確実に保持することができる。図５（ｃ）は図５（ａ）に示したＢ部の他の変形例であり、巻線収容溝８の一方の側面のみに突起１４を設けたもので、（ａ）または（ｂ）に示したものと比較して保持可能な線径の範囲が限定されるけれども、導線を巻線収容溝８の底部に保持できる効果が得られる。
【００２６】
次に、上述した固定子４Ａの端面に配置して本発明の電動機を構成する端子板について説明する。先ず、巻線端末受け部７ａ〜７ｆの端子装着孔９には、図６に示すように、接続部材１５ａと接続部材１５ｂとが一体的に形成された圧接端子１５のうち、接続部材１５ａが装着される。接続部材１５ａ，１５ｂには互いに十文字に交差するＵ字状の溝１５ｃ，１５ｄがそれぞれの端部から中央に向けて形成されている。これらＵ字状の溝１５ｃ，１５ｄは端部から奥に向かって幅が次第に狭くなり、巻線収容溝８に、例えば、巻始めの端末１１ａが収容された状態で接続部材１５ａを端子装着孔９に挿入すると、Ｕ字状の溝１５ｃが巻線の絶縁被覆を削り、圧接端子１５と巻始めの端末１１ａとが電気的に接続される。また、Ｕ字状の溝１５ｄには後述する口出線２２が挿入され、同様にして圧接端子１５と電気的に接続される。
【００２７】
図７は図６に示した圧接端子１５を絶縁部材６の巻線端末受け部７ａの端子装着孔９に装着した状態を示している。ここで、接続部材１５ｂに形成されるＵ字状の溝１５ｄは周方向に配置された口出線が挿入される。
【００２８】
次に、端子板２０は図８に示すように固定子鉄心５Ａの端面に収まるように円環状に形成されており、口出線を固定子４Ａの周方向に引き回すように案内する案内溝２１が設けられる。案内溝２１の幅は口出線配線の直径より僅かに広く形成される。この案内溝２１の深さは、口出線が２本以上重ねて収まるように配線径の２倍以上とし、図９に示すように、口出線２２を案内溝２１に押し込みながら引き回す。また、端子板２０には案内溝２１に沿って圧接端子１５を収容するための口出線受け部２３ａ〜２３ｆが端子板２０の外周側に設けられている。この口出線受け部２３ａ〜２３ｆは、端子板２０を固定子鉄心５の端面に装着する際、絶縁部材６の巻線端末受け部７ａ〜７ｆに対向する位置に設けられている。
【００２９】
そして、図９に示すように、口出線受け部２３ａ〜２３の各口出線を絶縁部材６の巻線端末受け部７ａ，７ｂ，７ｃの端子装着孔９に装着された圧接端子１５のＵ字状の溝１５ｄに挿入することによって、対向する磁極歯に卷装された巻線が直列接続され、かつ、直列接続巻線が星形結線される周知の接続が行われ、端子板２０の図面に示す裏面から口出線の撚り線２４が導出されてコネクタ２５に接続される。図１０は端子板２０を図１に示した固定子４Ａに装着した電動機の端面を示す平面図である。
【００３０】
ところで、図８に示した端子板２０は口出線２２を案内溝２１に収容する際、口出線受け部２３ａ，２３ｂ，２３ｆから口出線２２の終端部が周方向に突出する側が袋状になっている。このため、口出線の長さが長くなると袋状の部分からはみ出した終端部を切断しなければならず、作業性が低下することとなる。
【００３１】
図１１は端子板の他の実施形態の構成を示す平面図であり、図１２はそのＣ部の拡大平面図である。図中図８と同一の要素には同一の符号を付してその説明を省略する。この端子板２０Ａは、口出線受け部２３ａ，２３ｂ，２３ｆから口出線の終端部が周方向に突出する側に、配線引き回し用の案内溝２１とは独立に外周面に開放端を持つように延伸する開放溝２６を形成したものである。このような開放溝２６を形成することによって、口出線が多少長くなったとしても、その収容に支障がなくなる。
【００３２】
図１３は端子板のもう一つ他の実施形態の構成を示す平面図であり、図１２と同一の要素には同一の符号を付してその説明を省略する。ここに示した端子板２０Ｂは、例えば、口出線受け部２３ｆから口出線の終端部が周方向に突出する外周面に、開放溝２６と略直交する側面Ｆを有する突起部２７を設けると共に、口出線受け部２３ｆの口出線の入側及び口出線を引き回す案内溝２１の途中に、それぞれ溝の両側面に突起を有する口出線保持機構２８を設けた点が図１２と構成を異にしている。
【００３３】
ここで、突起部２７は口出線２２の終端部を積極的に延出させ、余分な部分を図１４に示すように切断工具としてのニッパによって切断するようにしたもので、このとき、ニッパの刃を当てて切断を容易にするために、開放溝２６と略直交する側面Ｆを形成している。この結果、口出線の長さが異なるものであっても、それぞれを長目に形成すれば終端を側面Ｆに揃えることができる。
【００３４】
一方、口出線保持機構２８は図１５（ａ）にその拡大平面図を、同図（ｂ）にその縦断面図を示すように、溝の両側に一定の長さだけ突出する突起を設け、端子板２０Ｂ自体の弾性を利用して突起の内部に口出線２２を押し込み、これによって、案内溝２１や口出線受け部２３ａ，２３ｂ，２３ｆから口出線が飛び出すことを防止することができる。
【００３５】
図１６は端子板のさらに他の実施形態の構成を示す平面図であり、図中、図１３と同一の要素には同一の符号を付してその説明を省略する。この実施形態は口出線受け部２３ｆの口出線の終端側だけでなく、口出線の入側にも口出線保持機構２８を設けたもので、これによって、口出線受け部２３ｆからの口出線の飛び出しを確実に防止することができる。なお、口出線受け部２３ｆだけでなく、口出線受け部２３ａ，２３ｂの各口出線の入側にも同様な口出線保持機構２８が設けられる。
【００３６】
かくして、図１乃至図５を用いて説明した固定子に、図６及び図７を用いて説明した圧接端子１５を装着し、さらに、図８乃至図１５を用いて説明した端子板２０，２０Ａ，２０Ｂ，２０Ｃのいずれか一つを装着することによって、巻線機の構成の簡易化を図ることができ、また、巻線の始端部と中間部又は終端部と絶縁を確実にし、さらに、口出線の飛び出しを防止することのできる電動機を提供することができる。
【００３７】
ところで、上述した電動機の回転子として永久磁石を用いる場合、固定子の磁極歯に集中的に巻装した巻線１０ａ〜１０ｆを適宜に選択して比較的大きな直流電流を流し、例えば４極でなる回転子磁極の着磁が行われる。このとき、隣接する磁極歯に巻装された外周部の巻線が相互に吸引する電磁力が作用して、巻線形状を変形させると共に、緩めることがあった。図１７は本願と同一の出願人により特願平１１−２５１２４号として出願された圧縮機用電動機を軸方向から見た平面図である。この圧縮機用電動機は、磁極歯に巻装される巻線の端末をそのまま長く導出し、導出した部分を口出線とすると共に、その撚り線２４をコネクタ２５に接続したものであるが、回転子磁極の着磁に際して相互に吸引力が作用する巻線１０ｂと１０ｃ間、巻線１０ｃと１０ｄ間、巻線１０ｅと１０ｆ間、巻線１０ｆと１０ａ間にそれぞれ着磁時の電磁力による巻線の変形を防ぐ絶縁性のスペーサ４１を挿入している。
【００３８】
この図１７に示した固定子は巻線の端末を長く導出してそのまま口出線としているため、スペーサ４１を着磁時等に随時挿入できるが、上述した端子板２０，２０Ａ〜２０Ｃにあっては巻線１０ａ〜１０ｆの間隙を部分的に塞ぐため、これらの端子板を装着した後でのスペーサ４１の挿入が難しく、その大きさにも制限を受けることになる。
【００３９】
図１８はこの課題に対処する端子板の他の構成例であり、端子板２０Ｄは、前述したスペーサ４１の挿入箇所に、予めこのスペーサ４１を挿通させる凹状溝４２を形成したものである。図１９はこの端子板２０Ｄを装着した圧縮機電動機の軸方向から見た平面図であり、端子板２０Ｄに形成した凹状溝４２にスペーサ４１を随時に挿脱できる効果がある。
【００４０】
一方、端子板２０，２０Ａ〜２０Ｃを装着してなる上記電動機を圧縮機用電動機に適用した場合、これらの端子板が巻線１０ａ〜１０ｆの間隙を部分的に塞ぐため、これらの間隙を通ってきた圧縮ガスの流れが乱される。この結果、圧縮ガス中に含まれる潤滑油の分離ができ難くなり、圧縮ガスとともに吐出される油の量（吐油量）が多くなる。このため、油不足による機械部の故障や、油による熱交換性能の悪化により機器の効率が低下する。
【００４１】
図２０はこの課題に対処する端子板のさらに他の構成例であり、端子板２０Ｅは、巻線１０ａ〜１０ｆの各間隙に対応する端子板２０Ｅの内周部に、少なくとも巻線１０ａ〜１０ｆの各隙間よりも幅が広く、かつ、径方向外側に拡がった凹状部４３を設けたものである。図２１はこの端子板２０Ｅを装着した圧縮機電動機の軸方向から見た平面図であり、端子板２０Ｄに形成した凹状部４３が巻線１０ａ〜１０ｆの各間隙に対応しており、しかも、間隙の全てを見通す形状であるため、圧縮ガスの流れが妨げられることがなく、これによって、圧縮機の吐油量の減少による機械部の故障原因を除去し、また、熱交換性能を向上させると共に、機器の効率を高めることができる。
【００４２】
なお、図１８に示した端子板２０Ｄに形成される凹状溝４２はスペーサ４１を通過させるものであり、図２０に示した端子板２０Ｅの凹状部４３は圧縮ガスの乱れを防止するものであるが、これらの凹状部４３は巻線の隙間よりも実際に大きく形成されるため、スペーサ４１を挿入する凹状溝４２の機能をも併せ備えることになる。
【００４３】
なお、上述した端子板２０Ｄ及び２０Ｅは、特願平１１−２５１２４号として提案した固定子を持つ電動機にその適用を限定されるものではなく、図１及び図２に示したように、巻線の巻始め及び巻終わりにそれぞれ対応させて巻線端末受け部７ａ〜７ｆを固定子鉄心５の軸心を中心とする同一円周上に分散配置すると共に、巻線収容溝８を中心から径方向外側に向けて形成した固定子と、図１１乃至図１６に示すように、周方向溝のうち、口出線が終端する側が、他とは独立に外周面に開放端を持つように延伸して形成された端子板２０，２０Ａ〜２０Ｃとを用いる電動機に適用することによって、巻線機の構成の簡易化を図ることが可能で、巻線の始端部と中間部又は終端部との確実な絶縁を図ることができ、さらに、ある程度、線径の異なる導線でもその収容及び確実な保持を可能にすると言う効果をも併せ備えた圧縮機用電動機を提供することができる。
【００４４】
なおまた、上記実施形態は固定子の磁極歯が６個で、回転子磁極が４個のものについて説明したが、本発明はこれに適用を限定されるものではなく、これらの磁極数が異なる固定子、電動機及び圧縮機用電動機にも適用可能である。
【００４５】
【発明の効果】
以上の説明によって明らかなように、本発明によれば、巻線機の構成の簡易化を図ることが可能な固定子が得られる。
【００４６】
また、巻線の始端部と中間部又は終端部との確実な絶縁を図ることのできる固定子を提供することができる。
【００４７】
さらに、ある程度、線径の異なる導線でもその収容及び確実な保持を可能にする電動機の固定子とすることもできる。
【図面の簡単な説明】
【図１】  本発明に係る固定子の一実施形態の構成を示す軸方向端の平面図。
【図２】  巻線の巻始め及び巻終わりに関連付けて、巻線端末受け部の詳細な配置を示した部分拡大平面図。
【図３】  巻線の巻初めの端末に対応する巻線端末受け部の詳細な構成を示す平面図及び断面図。
【図４】  巻線の巻始めの巻線端末受け部の詳細な構成及び絶縁性能を説明するための断面図。
【図５】  線径の異なる導線でもその収納を可能にすると共に、線径の小さい導線でも確実に保持する巻線端末受け部の詳細な構成を示す平面図。
【図６】  巻線端末受け部の端子装着孔に装着される圧接端子の斜視図。
【図７】  圧接端子の絶縁部材に対する装着状態を示す斜視図。
【図８】  本発明を適用した電動機を構成する端子板の一つの実施形態の構成を示す斜視図。
【図９】  図８に示した端子板に口出線を装着した斜視図。
【図１０】  図８に示した端子板を固定子に装着した電動機の軸方向の平面図。
【図１１】  端子板の他の実施形態の構成を示す平面図。
【図１２】  図１１に示した端子板の一部を拡大して示した平面図。
【図１３】  図１１に示した端子板の一部を変形して示した部分平面図。
【図１４】  図１３に示した端子板に口出線を挿入した場合の終端処理の説明図。
【図１５】  図１３に示した端子板の口出線保持機構の詳細な構成を示す平面図及び断面図。
【図１６】  図１１に示した端子板の一部を変形して示した部分平面図。
【図１７】  先行技術としての固定子の軸方向から見た平面図。
【図１８】  本発明を適用した圧縮機電動機を構成する端子板の構成例を示す平面図。
【図１９】  図１８に示した端子板を装着した圧縮機電動機の軸方向から見た平面図。
【図２０】  本発明を適用した圧縮機電動機を構成する端子板の他の構成例を示す平面図。
【図２１】  図２０に示した端子板を装着した圧縮機電動機の軸方向から見た平面図。
【図２２】  本発明を適用した圧縮機電動機を適用する圧縮機の断面図。
【図２３】  従来の固定子を軸方向から見た平面図。
【図２４】  図２３に示す巻線端末受け部の詳細な構成を示す平面図及び断面図。
【符号の説明】
４Ａ  固定子
５  固定子鉄心
６  絶縁部材
７ａ〜７ｆ  巻線端末受け部
８  巻線収容溝
９  端子装着孔
１０ａ〜１０ｆ  巻線
１１ａ  巻始めの端末
１２  突出部
１４  突起
１５  圧接端子
２０，２０Ａ〜２０Ｅ  端子板
２１  案内溝
２２  口出線
２３ａ〜２３ｆ  口出線受け部
２４  撚り線
２５  コネクタ
２６  開放溝
２７  突起部
２８  口出線保持機構
４１  スペーサ
４２  凹状溝
４３  凹状部
【図１】
0004294831.tif 000002
【図２】
0004294831.tif 000003
【図３】
0004294831.tif 000004
【図４】
0004294831.tif 000005
【図５】
0004294831.tif 000006
【図６】
0004294831.tif 000007
【図７】
0004294831.tif 000008
【図８】
0004294831.tif 000009
【図９】
0004294831.tif 000010
【図１０】
0004294831.tif 000011
【図１１】
0004294831.tif 000012
【図１２】
0004294831.tif 000013
【図１３】
0004294831.tif 000014
【図１４】
0004294831.tif 000015
【図１５】
0004294831.tif 000016
【図１６】
0004294831.tif 000017
【図１７】
0004294831.tif 000018
【図１８】
0004294831.tif 000019
【図１９】
0004294831.tif 000020
【図２０】
0004294831.tif 000021
【図２１】
0004294831.tif 000022
【図２２】
0004294831.tif 000023
【図２３】
0004294831.tif 000024
【図２４】
0004294831.tif 000025